(57)【特許請求の範囲】
【請求項１】
一対の通電端子をモータハウジングの外部に備え、その通電端子をモータハウジングの内部に組み付けられるモータ駆動回路の各リードと電気的に接続し、且つ、該通電端子を回路基板の給電ランドと弾圧当接させて電気的に導通する小型モータにおいて、
円筒状のモータハウジングの片端部に嵌合せ固定する絶縁樹脂の端子台を備え、一対の支軸ピンを回路基板の板面と略平行方向に、且つ、端子台の端面よりモータハウジングの円筒軸方向に突出させて端子台で保持すると共に、モータ駆動回路の各リードを端子台から外方に導出し、中央の螺旋部を支軸ピンの軸線上に嵌装し、片バネ端を端子台より外方に突出させて、バネ端の接点箇所を端子台より内側にバネ変位させて回路基板の給電ランドとの接点部とし、他バネ端を各リードとの接合部とする一対のトーションコイルバネを通電端子として、モータハウジングの円筒軸に対し垂直面方向に備え付け、トーションコイルバネによるねじりモーメントの反力を回路基板の給電ランドに作用させて通電端子の接点部を回路基板の給電ランドと弾圧当接したことを特徴とする小型モータ。
【請求項２】
接点部をＵ字状に湾曲したトーションコイルバネを備えると共に、給電ランドとの弾圧当接でねじり偏倚する接点部を受け止める接点部の押え縁を端子台の端面に設けた端子台を備え付けたことを特徴とする請求項１に記載の小型モータ。
【請求項３】
モータ駆動回路の各リードと接続固定する接合部の軸線を保持する止め縁を設けた端子台を備え付けたことを特徴とする請求項１に記載の小型モータ。
【請求項４】
回路基板の板面に設けられる抜き穴と嵌合せ固定する突片を設けた端子台を備え付けたことを特徴とする請求項１に記載の小型モータ。
【請求項５】
円筒状のモータハウジングと、モータハウジングの内部で軸受け保持される回転軸と、回転軸の軸線上に空隙を介して対向配置に組み付けられるマグネット並びにコイルと、回転軸の軸線上に固定される整流子と、モータハウジングの片端部に嵌合せ固定される絶縁樹脂のブラシ台と、整流子と摺接させてブラシ台で保持される一対のブラシ及びブラシの各リードと、モータハウジングの外部に備え付けられる一対の通電端子と、モータハウジングより外方に突出する回転軸の軸端側に取り付けられる偏心分銅とを備え、コイルを整流子と電気的に接続すると共に、通電端子をブラシの各リードと電気的に接続し、且つ、通電端子を回路基板の給電ランドと弾圧当接させて電気的に導通する小型振動モータにおいて、
ブラシ台と兼用の端子台を備え、一対の支軸ピンを回路基板の板面と略平行方向に、且つ、端子台の端面よりモータハウジングの円筒軸方向に突出させて端子台で保持すると共に、ブラシの各リードを端子台から外方に導出し、中央の螺旋部を支軸ピンの軸線上に嵌装し、片バネ端を端子台より外方に突出させて、バネ端の接点箇所を端子台より内側にバネ変位させて回路基板の給電ランドとの接点部とし、他バネ端をブラシの各リードとの接合部とする一対のトーションコイルバネを通電端子として、モータハウジングの円筒軸に対し垂直面方向に備え付け、トーションコイルバネによるねじりモーメントの反力を回路基板の給電ランドに作用させて通電端子の接点部を回路基板の給電ランドと弾圧当接したことを特徴とする小型振動モータ。
【請求項６】
請求項５に記載の小型振動モータを搭載したことを特徴とする携帯用情報機器。
【発明の詳細な説明】
【０００１】
【発明の属する技術分野】
本発明は、回路基板の給電ランドと電気的に導通する通電端子に着目した小型モータ及び小型振動モータの改良、並びに、小型振動モータを装備する携帯用情報機器の改良に関するものである。
【０００２】
【従来の技術】
従来、小型モータにおいては、モータハウジング側端部から引き出すリード線で回路基板と電気的に接続する通電方法に代えて、バネ端を回路基板の給電ランドに弾圧当接する板バネ状の通電端子をモータハウジングの外周部に備え付けることが提案されている（特開平１１−１３６９０１号）。
【０００３】
その小型モータは、図２１で示すようにモータハウジング１の開放端に嵌合せ固定されるブラシホルダー２と、ブラシホルダー２に相対固定されるブラケット３と、略への字状（図に示す曲げ形状）に折り曲げられた板バネによる通電端子４とを備え、片辺部４ａをブラシホルダー２とブラケット３とで挟み込んでブラシホルダー２をモータハウジング１の開放端に嵌合せ固定し、他辺部を自由辺部４ｂとして回路基板の給電ランドと弾圧当接させるようブラケット３から斜めに伸ばすことにより構成されている。
【０００４】
その板バネによる通電端子では、回路基板の給電ランドと弾圧当接させる自由辺部の長さ方向が幅に対して十分長くないと、使用上の必要特性が得られない。このため、図２２で示すように回路基板Ｐの給電ランドＲと弾圧当接させる自由辺部４ｂの長さが長い分、モータ全体を回路基板Ｐの板面より浮かせて搭載する必要から、通電端子４の高さ方向の取付け公差を大きく確保しなければならない。これは取付けの高さ方向を低く抑えるのを制約し、モータ自体並びに搭載機器の小型化を図るのに妨げとなる。
【０００５】
その他に、板バネによる通電端子では板面との弾性当接時に、ねじれて通電端子同士が相互に近接方向に折れ曲がる危険性がある。また、回路基板の給電ランドとの弾圧当接が板バネのバネ性に依存して保たれるため、板バネの自由辺部における回路基板の給電ランドとの弾圧度合を的確に保てるようモータ自体の取付け高さを設定しないと、小型振動モータ等では振動等に伴って接触不良を生ずる危険性がある。
【０００６】
その回路基板の給電ランドとの板バネの弾圧当接を補足するため、自由辺部の先端側を押え込む弾性押圧体をモータハウジングと板バネの自由辺部との間に備え付けることが提案されている（特開２０００−７８７９０号）。然し、これにても、弾性押圧体の厚み分だけ高さ制限となるから、モータ自体並びに搭載機器の小型化を図るのに妨げとなる。
【０００７】
【発明が解決しようとする課題】
本発明は、モータ全体を小型なものに構成すると共に、モータ自体を簡単に取付け装備できて通電端子による電気的接続を確実にできる小型モータ及び小型振動モータを提供することを目的とする。
【０００８】
また、本発明は小型な振動モータを搭載することから機器本体を小型なものに構成すると共に、通電端子による電気的接続を確実にできて信頼性の高い携帯用情報機器を提供することを目的とする。
【０００９】
【課題を解決するための手段】
本発明の請求項１に係る小型モータにおいては、一対の通電端子をモータハウジングの外部に備え、その通電端子をモータハウジングの内部に組み付けられるモータ駆動回路の各リードと電気的に接続し、且つ、該通電端子を回路基板の給電ランドと弾圧当接させて電気的に導通する小型モータにおいて、
円筒状のモータハウジングの片端部に嵌合せ固定する絶縁樹脂の端子台を備え、一対の支軸ピンを回路基板の板面と略平行方向に、且つ、端子台の端面よりモータハウジングの円筒軸方向に突出させて端子台で保持すると共に、モータ駆動回路の各リードを端子台から外方に導出し、中央の螺旋部を支軸ピンの軸線上に嵌装し、片バネ端を端子台より外方に突出させて、バネ端の接点箇所を端子台より内側にバネ変位させて回路基板の給電ランドとの接点部とし、他バネ端を各リードとの接合部とする一対のトーションコイルバネを通電端子として、モータハウジングの円筒軸に対し垂直面方向に備え付け、トーションコイルバネによるねじりモーメントの反力を回路基板の給電ランドに作用させて通電端子の接点部を回路基板の給電ランドと弾圧当接したことにより構成されている。
【００１０】
本発明の請求項２に係る小型モータにおいては、接点部をＵ字状に湾曲したトーションコイルバネを備えると共に、給電ランドとの弾圧当接でねじり偏倚する接点部を受け止める接点部の押え縁を端子台の端面に設けた端子台を備え付けることにより構成されている。
【００１１】
本発明の請求項３に係る小型モータにおいては、モータ駆動回路のリードと接続固定する接合部の軸線を保持する止め縁を設けた端子台を備え付けることにより構成されている。
【００１２】
本発明の請求項４に係る小型モータにおいては、回路基板の板面に設けられる抜き穴と嵌合せ固定する突片を設けた端子台を備え付けることにより構成されている。
【００１３】
本発明の請求項５に係る小型振動モータにおいては、円筒状のモータハウジングと、モータハウジングの内部で軸受け保持される回転軸と、回転軸の軸線上に空隙を介して対向配置に組み付けられるマグネット並びにコイルと、回転軸の軸線上に固定される整流子と、モータハウジングの片端部に嵌合せ固定される絶縁樹脂のブラシ台と、整流子と摺接させてブラシ台で保持される一対のブラシ及びブラシの各リードと、モータハウジングの外部に備え付けられる一対の通電端子と、モータハウジングより外方に突出する回転軸の軸端側に取り付けられる偏心分銅とを備え、コイルを整流子と電気的に接続すると共に、通電端子をブラシの各リードと電気的に接続し、且つ、通電端子を回路基板の給電ランドと弾圧当接させて電気的に導通する小型振動モータにおいて、
ブラシ台と兼用の端子台を備え、一対の支軸ピンを回路基板の板面と略平行方向に、且つ、端子台の端面よりモータハウジングの円筒軸方向に突出させて端子台で保持すると共に、ブラシの各リードを端子台から外方に導出し、中央の螺旋部を支軸ピンの軸線上に嵌装し、片バネ端を端子台より外方に突出させて、バネ端の接点箇所を端子台より内側にバネ変位させて回路基板の給電ランドとの接点部とし、他バネ端をブラシの各リードとの接合部とする一対のトーションコイルバネを通電端子として、モータハウジングの円筒軸に対し垂直面方向に備え付け、トーションコイルバネによるねじりモーメントの反力を回路基板の給電ランドに作用させて通電端子の接点部を回路基板の給電ランドと弾圧当接したことにより構成されている。
【００１４】
本発明の請求項６に係る携帯用情報機器においては、請求項５に記載の小型振動モータを搭載することにより構成されている。
【００１５】
【発明の実施の形態】
以下、図１〜図２０を参照して説明すると、図示実施の形態は小型モータのうち、図１で示すような振動による呼出し方式の小型振動モータを構成する場合が例示されている。その実施の形態中、回路基板の給電ランドと弾圧当接する通電端子をトーションコイルバネで構成する端子構造を最も重要な構成要素として備えることにより構成されている。
【００１６】
小型振動モータとしては、モータハウジング１０、回転軸１１、ベアリング兼ベアリングハウス１２、マグネット１３、コイル１４、コイルホルダー１５、整流子１６、一対のブラシ１７ａ，１７ｂ、ブラシホルダー兼端子台１８、偏心分銅１９、一対の通電端子２０ａ，２０ｂを備え、ベアリングハウス１２の外周に嵌合せ固定されるマグネット１３を固定子とし、回転軸１１の軸線上にコイルホルダー１５で受止め保持されるコイル１４を回転子として組み立てられている。
【００１７】
モータハウジング１０は、図１に示すように、片側を閉塞し且つ他側を開放した金属製のカップ状のもの備えられている。そのモータハウジング１０の片側には、食込み固定用の突片１０ａを張り出させた抜き穴１０ｂにより、モータハウジング１０と一体化する滑性，耐摩耗性，高剛性，高靭性に富む樹脂材料からなるベアリングハウス１２がモールド成形されている。回転軸１１は、ベアリングハウス１２の内径側で回転自在に軸受けされる。
【００１８】
ベアリングハウス１２は、回転軸１１を挿通する貫通孔１２ａを有し、抜き穴１０ｂの内外よりモータハウジング１０の閉塞面を挟持する保持部１２ｂと、保持部１２ｂからモータハウジング１０の内部に伸びるスリーブ部１２ｃと、貫通孔１２ａの内周を窪ませたオイル溜り１２ｄとを備えて形成されている。このベアリングハウス１２は、スリーブ１２ｃを回転軸１１の軸線上に嵌装するカラー１１ｂで押え止め、また、保持部１２ｂを偏心分銅１９との間に介装するスペーサリング１１ｃで偏心分銅１９より離間させて組み付けられている。
【００１９】
ベアリングハウス１２には、マグネット１３がスリーブ部１２ｃの外周に嵌込み固定することにより一体に備え付けられている。そのマグネット１３は、磁気ギャップを隔ててコイル１４の径内に収容配置されている。コイル１４は、回転軸１１の軸線上に嵌込み固定したコイルホルダー１５で受止め保持されている。コイルホルダー１５は２極に分極された整流子１６を外周に備え、この整流子１６には円筒コイル１４がコイル端で電気的に接続されている。
【００２０】
その整流子１６には、ブラシホルダー兼端子台１８で保持したブラシ１７ａ，１７ｂが摺接配置されている。また、ブラシ１７ａ，１７ｂには後述するように一対の通電端子２０ａ，２０ｂが電気的に接続されている。この一対の通電端子２０ａ，２０ｂは、回路基板の給電ランドと弾圧当接させて電気的に導通するものとして備え付けることにより、モータ駆動回路が回路構成されている。
【００２１】
通電端子２０ａ，２０ｂは、図２で示すように捩りモーメントを有するトーションコイルバネで構成されている。その通電端子２０ａ（２０ｂ）は、図３で示すように数巻の螺旋部２００を中央に備え、この螺旋部２００から連続する片バネ端２０１をＵ字状に湾曲させて回路基板の給電ランドとの接点部とし、他バネ端２０２をブラシ１７ａ，１７ｂのリードと電気的に接続する接合部とするよう導電性棒材から軸曲げ形成されている。
【００２２】
ブラシ１７ａ（１７ｂ）は、図４並びに図５で示すように導電性線材のブラシ片１７０を複数本並べて備え、そのブラシ片１７０を導電性板材のリード１７１で接合保持することにより構成されている。ブラシ片１７０は、整流子１６の外周にバネ圧接させて確実に摺接させるようＵ字状に湾曲成形されている。ブラシ１７ａ，１７ｂの対は、ブラシ片１７０を相平行させて回転軸１１の軸線上に摺接にするよう上下逆向きに備え付けられる。
【００２３】
通電端子２０ａ，２０ｂ並びにブラシ１７ａ，１７ｂは、絶縁樹脂から形成されたブラシ台兼端子台１８をベースに取り付けられている。ブラシ台兼用の端子台（以下、「端子台」という。）１８は、基台部１８ａと嵌合せ部１８ｂとから形成され、通電端子２０ａ，２０ｂの取付け側とブラシ１７ａ，１７ｂの取付け側とで異なる構造に形成されている。
【００２４】
その端子並びに台構造を第１の実施の形態に基づいて詳述すると、通電端子２０ａ，２０ｂの取付け側には、図６並びに図７で示すように丸棒状の支軸ピン２１ａ，２１ｂが基台部１８ａの外端面から回路基板（図示せず）の板面と略平行方向の外方に向けて突出するよう備え付けられている。この支軸ピン２１ａ，２１ｂは、端子台１８の形成後に後付けでピンを嵌め込むか、または一体に突出固定部を射出成形できる。
【００２５】
嵌合せ部１８ｂの外端面には、ブラシ１７ａ，１７ｂのリード片１７１を挿通するスリット１８０ａ，１８０ｂがブラシ１７ａ，１７ｂの取付け側から連通させて開口するよう設けられている。このスリット１８０ａ，１８０ｂは、上述したようにブラシ１７ａ，１７ｂの対を上下逆向きに備え付けるところから開口位置を上下にズラすことにより設けられている。
【００２６】
各支持ピン２１ａ，２１ｂの突出位置，各リード１７１の導出位置は、基台部１８ａから嵌合せ部１８ｂの外端面に設けられる略十字状の仕切り壁１８１で区画されている。
【００２７】
その仕切り壁１８１の横壁部１８１ａ，１８１ｂには、支軸ピン２１ａ，２１ｂの突出位置とリード１７１の導出位置とを連通する切欠溝１８２ａ，１８２ｂが設けられている。この横壁部１８１ａ，１８１ｂは、通電端子２０ａ，２０ｂの螺旋部２００より連続する接合部側の他バネ端２０２を軸線方向に合わせて斜めの切欠溝１８２ａ，１８２ｂで係合保持する止め縁として設けられている。
【００２８】
十字の交差基部には、円弧状に膨出する押え縁１８３ａ，１８３ｂが設けられている。これは、上述したＵ字状に湾曲した通電端子２０ａ，２０ｂの他バネ端２０１を回路基板の給電ランドと弾圧当接するに伴う接点部（以下、必要に応じてこの接点部を同符号(２０１)で示す）のバネ偏倚を円弧面に沿って円滑に行わせると共に、そのバネ偏倚する片バネ端２０１を前記押え縁１８３ａ，１８３ｂで受け止めることにより回路基板の給電ランドに対して通電端子２０ａ，２０ｂの接点部(２０１)、すなわち片バネ端２０１の一部を確実に弾圧当接させるよう設けられている。
【００２９】
ブラシ１７ａ，１７ｂの取付け側には、図８並びに図９で示すようにリード保持部１８４ａ，１８４ｂが嵌合せ部１８ｂの内端面より突出するよう設けられている。そのリード保持部１８４ａ，１８４ｂから連続し、上述した嵌合せ部１８ｂの外端面に連通するようブラシ１７ａ，１７ｂのリード１７１を挿通するスリット１８０ａ，１８０ｂが設けられている。
【００３０】
そのリード保持部１８４ａ，１８４ｂを取り囲み、外周にはモータハウジング１０の開放口に嵌め込む複数の膨出リブ１８５ａ，１８５ｂ…を備え、凹溝１８６ａから受け縁１８６ｂが同心円状に連続するよう嵌合せ部１８ｂの内端面に設けられている。この他、嵌合せ部１８ｂの内端面には回転軸１１の端部１１ａを受け入れる円形の凹部１８７が設けられている。
【００３１】
上述した各構成部を含み、端子台１８は基台部１８ａがモータハウジング１０より側方に張り出し、嵌合せ部１８ｂがモータハウジング１０の開放端と略同じ外形形状を呈するよう形成されている。また、支軸ピン２１ａ，２１ｂは仕切り壁１８１の高さ範囲内に位置するよう端子台１８の基台部１８ａで植立保持されている。
【００３２】
その端子台１８に対し、ブラシ１７ａ，１７ｂは、図１０並びに図１１で示すようにブラシ片１７０を相対方向内側に向け、リード１７１をリード保持部１８４ａ，１８４ｂのスリット１８０ａ，１８０ｂから内部に挿通すると共に、リード端を嵌合せ部１８ｂの外端面に沿わせて折り曲げることにより取り付けられている。
【００３３】
通電端子２０ａ，２０ｂは、図１２で示すように中央の螺旋部２００を支軸ピン２１ａ，２１ｂの軸線上に嵌装し、片バネ端２０１を基台部１８ａより外方に突出させて給電ランドとの接点部(２０１)とし、他バネ端２０２を横壁部１８１ａ，１８１ｂの切欠溝１８２ａ，１８２ｂに係合保持させて、リード１７１のリード端と半田付け固定することにより取り付けられている。その通電端子２０ａ，２０ｂは、片バネ端２０１を押え縁１８３ａ，１８３ｂの膨出面に向く内方に向けて組み付けられている。
【００３４】
その端子台１８は、図１３で示すようにモータハウジング１０の開放端が嵌合せ部１８ｂの受け縁１８６ｂに当接すると共に、嵌合せ部１８ｂの凹溝１８６ａに嵌り合うまでリード保持部１８４ａ，１８４ｂをモータハウジング１０の内部に嵌め込んで組付け固定されている。この端子台１８の組付け状態では、図１４で示すように端子台１８の基台部１８ａがモータハウジング１０の開放端より内側に位置し、図１５で示すように通電端子２０ａ，２０ｂの接点部(２０１)が端子台１８より外方に突出する。
【００３５】
このように構成する小型振動モータは、図１６で示すように端子台１８の基台部１８ａを回路基板Ｐの板面と相対させて通電端子２０ａ（２０ｂ）の接点部(２０１)を導電パターンの給電ランドＲに弾圧当接することにより機器本体の筐体内に組付け装備される。
【００３６】
その小型振動モータは、図１７で示すように弾性材のリング部材２２をモータハウジング１０に被せ、或いはモータハウジング１０を半円面で受け止める弾性材の支持台を回路基板Ｐの板面との間に介在させてモータ全体を回路基板Ｐの板面上に設置することができる。この場合には、モータ全体を回路基板Ｐに安定よく搭載するようにできる。
【００３７】
また、図１８で示すように端子台１８の引掛り縁１８８ａ，１８８ｂを両側に保って基台部１８ａ並びに仕切り壁１８１より回路基板Ｐの板厚相当分だけ伸びる突片１８９を設けると共に、その突片１８９の外形形状に相応する平面Ｔ字状の抜き穴（破線部分で示す）を回路基板Ｐの給電ランドＲから外れる板面に設け、図１９で示すように突片１８９を回路基板Ｐの抜き穴に嵌め合せるようにできる。この場合には、通電端子２０ａ，２０ｂを給電ランドＲと位置合わせてモータ全体を安定よく取り付けられ、リング部材２２または支持台を備えても確実に挟込み保持できる。
【００３８】
その突片１８９には、図１８並びに図１９で示すように掛止め爪１８９ａ〜１８９ｄを突片１８９の下端縁に沿って設けるとよい。この掛止め爪１８９ａ〜１８９ｄは、突片１８９を回路基板Ｐの抜き穴に嵌め合せると抜き穴の孔縁に係合することにより、端子台１８を含むモータ全体が回路基板Ｐの抜き穴から抜け外れるのを防げる。
【００３９】
そのモータの通電端子２０ａ，２０ｂを回路基板Ｐの給電ランドＲに弾圧当接すると、通電端子２０ａ，２０ｂの接点部(２０１)は、図２０で示すようにトーションコイルバネのねじりモーメントを支軸ピン２１ａ，２１ｂに作用させて端子台１８の基台部１８ａより内側にバネ偏倚する。モータ全体が回路基板Ｐの板面に対する相対下限（取付け高さ）に達すると、通電端子２０ａ，２０ｂの各片バネ端２０１は押え縁１８３ａ，１８３ｂの膨出面で受け止められる。
【００４０】
その小型振動モータでは、通電端子２０ａ，２０ｂの接点部(２０１)を端子台１８の基台部１８ａより内側にバネ変位させて回路基板Ｐの給電ランドＲと弾圧当接することにより電気的に接続できるため、モータ全体の取付け高さを基台部１８ａの高さ範囲に抑えられる。特に、絶縁部材等を介在させずに端子台１８の基台部１８ａを回路基板Ｐの板面に接地させて組付け固定でき、モータ全体の取付け高さを低く抑えられることから小型なものに構成できる。
【００４１】
モータ駆動回路としては、Ｕ字状の片バネ端２０１がトーションコイルバネによるねじりモーメントの反力を回路基板Ｐの給電ランドＲに作用し、また、回路基板Ｐの給電ランドＲとの当接でバネ偏倚する片バネ端２０１を押え縁１８３ａ，１８３ｂで受け止めることにより通電端子２０ａ，２０ｂの接点部(２０１)を回路基板Ｐの給電ランドＲと弾圧当接するから、通電端子２０ａ，２０ｂによる電気的接続も確実に行われる。
【００４２】
それに加えて、ブラシ１７ａ，１７ｂのリード１７１と半田付け固定される通電端子２０ａ，２０ｂの接合部側の他バネ端２０２を止め縁で確実に係合保持するため、トーションコイルバネによるねじりモーメントは、通電端子２０ａ，２０ｂの片バネ端側の接点部(２０１)に対し、不安定な作用をさせることなく、安定よく給電回路機構を構成できる。
【００４３】
実施の形態に係る小型振動モータは、ぺージャーや携帯電話等の携帯用通信機器に振動による呼出し方式のアラーム装置として組み付け搭載できる。この携帯用通信機器では、モータ全体の取付け高さを端子台１８の高さ範囲に抑えられるため、機器全体の小型化を図れると共に、通電端子２０ａ，２０ｂの接点部２０１を回路基板の給電ランドと弾圧当接させて電気的に確実に接続できるから信頼性の高いものに構成できる。
【００４４】
上述した実施の形態はブラシ付きの小型振動モータに基づいて説明したが、その通電端子による回路構成は、機構面からブラシレスモータ等の小型モータを構成するにも適用でき、また、用途面から回転駆動の出力用小型モータを構成するにも適用できる。
【００４５】
【発明の効果】
以上の如く、本発明の請求項１に係る小型モータに依れば、絶縁樹脂の端子台を円筒状のモータハウジングの片端部に嵌合せ固定し、一対の支軸ピンを回路基板の板面と略平行方向に、且つ、端子台の端面よりモータハウジングの円筒軸方向に突出させて端子台で保持すると共に、モータ駆動回路の各リードを端子台から外方に導出し、中央の螺旋部を支軸ピンの軸線上に嵌装し、片バネ端を端子台より外方に突出させて回路基板の給電ランドとの接点部とし、他バネ端をモータ駆動回路のリードとの接合部とする一対のトーションコイルバネを通電端子として、モータハウジングの円筒軸に対し垂直面方向に備え付けることにより、通電端子の接点部を端子台より内側にバネ変位させて回路基板の給電ランドと弾圧当接させて電気的に接続できるため、モータ全体の取付け高さを基台部の高さ範囲に抑えられると共に、トーションコイルバネによるねじりモーメントの反力を回路基板の給電ランドに作用させて通電端子の接点部を回路基板の給電ランドと弾圧当接できるから電気的接続も確実に行われる。
【００４６】
本発明の請求項２に係る小型モータに依れば、接点部をＵ字状に湾曲したトーションコイルバネを備えると共に、給電ランドとの弾圧当接でねじり変位する片バネ端を受け止める接点部の押え縁を端子台の端面に設けた端子台を備え付けることにより、回路基板の給電ランドとの当接でバネ変位する接点部を押え縁で受け止めてトーションコイルバネによるねじりモーメントの反力を回路基板の給電ランドに作用できるため、通電端子の接点部を回路基板の給電ランドと確実に弾圧当接するよう構成できる。
【００４７】
本発明の請求項３に係る小型モータに依れば、モータ駆動回路のリードと接続固定する接合部の軸線を保持する止め縁を設けた端子台を備え、モータ駆動回路のリードと半田付け固定される通電端子の接合部を止め縁で係合保持することから、トーションコイルバネによるねじりモーメントを通電端子の接点部に作用させないよう安定よく回路構成できる。
【００４８】
本発明の請求項４に係る小型モータにおいては、回路基板の板面に設けられる抜き穴と嵌合せ固定する突片を設けた端子台を備え付けることにより、通電端子を給電ランドと位置合わせてモータ全体を回路基板の板面上に安定よく取り付けられる。
【００４９】
本発明の請求項５に係る小型振動モータに依れば、ブラシ台と兼用の端子台を備え、一対の支軸ピンを回路基板の板面と略平行方向に、且つ、端子台の端面よりモータハウジングの円筒軸方向に突出させて端子台で保持すると共に、ブラシのリードを端子台から外方に導出し、中央の螺旋部を支軸ピンの軸線上に嵌装し、片バネ端を端子台より外方に突出させて回路基板の給電ランドとの接点部とし、他バネ端をブラシのリードとの接合部とする一対のトーションコイルバネを通電端子として、モータハウジングの円筒軸に対し垂直面方向に備え付けることにより、通電端子の接点部を端子台より内側にバネ変位させて回路基板の給電ランドと弾圧当接させて電気的に接続できるため、モータ全体の取付け高さを基台部の高さ範囲に抑えられると共に、トーションコイルバネによるねじりモーメントの反力を回路基板の給電ランドに作用させて通電端子の接点部を回路基板の給電ランドと弾圧当接できるから電気的接続も確実に行える。
【００５０】
本発明の請求項６に係る携帯用情報機器に依れば、請求項５に記載の小型振動モータを搭載することにより、機器全体の小型化を図れると共に、通電端子の接点部を回路基板の給電ランドと弾圧当接させて電気的に確実に接続できるから信頼性の高いものに構成できる。
【図面の簡単な説明】
【図１】  本発明の小型モータとして一実施の形態例に係る小型振動モータを示す側断面図である。
【図２】  本発明の第１の実施の形態に係る小型振動モータを示す仰角斜視図である。
【図３】  図２の小型振動モータを構成するトーションコイルバネによる通電端子片を示す正面図である。
【図４】  図２の小型振動モータを構成するブラシを示す側面図である。
【図５】  図４のブラシを示す正面図である。
【図６】  図２の小型振動モータを構成する端子台を通電端子の取付け側から示す仰角斜視図である。
【図７】  図６の端子台を通電端子の取付け側から示す正面図である。
【図８】  図６の端子台をブラシの取付け側から示す仰角斜視図である。
【図９】  図８の端子台をブラシの取付け側から示す正面図である。
【図１０】  図４のブラシを取り付けた端子台を示す平面図である。
【図１１】  図４のブラシを取り付けた端子台を示す正面図である。
【図１２】  図３のトーションコイルバネを通電端子として取り付けた端子台を示す平面図である。
【図１３】  図２の小型振動モータを示す底面図である。
【図１４】  図２の小型振動モータを示す平面図である。
【図１５】  図２の小型振動モータを偏心分銅側から示す正面図である。
【図１６】  図２の小型振動モータを回路基板に対する取付形態で示す側面図である。
【図１７】  図２の小型振動モータを回路基板に対する別の取付形態で示す側面図である。
【図１８】  図２の小型振動モータを端子台の突片による取付形態で通電端子側から示す正面図である。
【図１９】  図１８の小型振動モータの取付形態を示す側面図である。
【図２０】  図１６の回路基板に対する取付形態の小型振動モータを通電端子側から示す正面図である。
【図２１】  従来例に係る小型振動モータを示す側面図である。
【図２２】  従来例に係る小型振動モータを回路基板に対する取付状態で示す側面図である。
【符号の説明】
１０              モータハウジング
１１              回転軸
１２              ベアリングハウス
１３              マグネット
１４              コイル
１５              コイルホルダー
１６              整流子
１７ａ，１７ｂ    ブラシ
１７１            リード
１８              端子台
１８ａ            端子台の基台部
１８ｂ            端子台の嵌合せ部
１８１ａ，１８１ｂ    端子台の横壁部
１８３ａ，１８３ｂ    端子台の押え縁
１８９                端子台の突片
１９              偏心分銅
２０ａ，２０ｂ    通電端子（トーションコイルバネ）
２００            通電端子の螺旋部
２０１            通電端子の片バネ端（接点部）
２０２            通電端子の他バネ端
２１ａ，２１ｂ    支軸ピン
Ｐ                回路基板
Ｒ                給電ランド
【図１】
0004025539.tif 000002
【図２】
0004025539.tif 000003
【図３】
0004025539.tif 000004
【図４】
0004025539.tif 000005
【図５】
0004025539.tif 000006
【図６】
0004025539.tif 000007
【図７】
0004025539.tif 000008
【図８】
0004025539.tif 000009
【図９】
0004025539.tif 000010
【図１０】
0004025539.tif 000011
【図１１】
0004025539.tif 000012
【図１２】
0004025539.tif 000013
【図１３】
0004025539.tif 000014
【図１４】
0004025539.tif 000015
【図１５】
0004025539.tif 000016
【図１６】
0004025539.tif 000017
【図１７】
0004025539.tif 000018
【図１８】
0004025539.tif 000019
【図１９】
0004025539.tif 000020
【図２０】
0004025539.tif 000021
【図２１】
0004025539.tif 000022
【図２２】
0004025539.tif 000023